(57)【要約】    【課題】居室親機に増設親機が接続されたとき、親機モニタに増設親機呼出ボタンを自動的に表示させる。    【解決手段】居室親機２ａは、玄関機からの呼び出しを報知するとともに来訪者と通話するための増設親機通話部３３、玄関カメラで撮像した映像を表示する増設親機モニタ３５、居室親機に接続されたとき居室親機に対して初期化コマンドおよび増設親機ＩＤを送信する増設親機ＣＰＵ３０を有する増設親機３が接続され、初期化コマンド、増設親機ＩＤを受信したとき増設親機を制御するための増設親機用ＣＰＵ２０ａを起動させると共に増設親機ＩＤを登録し、親機モニタに対して画像メモリ２７に予め記憶していた増設親機を内線呼出するための増設親機呼出ボタンを表示させるための親機ＣＰＵ２０を備える。    【選択図】図２
2005102090.tif 000002
【特許請求の範囲】
【請求項１】
玄関に設置され来訪者が居住者を呼び出すための呼出部（１１）、前記居住者と通話を行なうための玄関通話部（１２）、前記来訪者を撮像するための玄関カメラ（１３）を有する玄関機（１）と、前記玄関機からの呼び出しを報知するとともに前記来訪者と通話するための親機通話部（２３）、前記玄関カメラで撮像した映像を表示する親機モニタ（２５）を有する居室親機（２ａ、２ｂ、・・・）とを備え、
前記居室親機は、前記玄関機からの呼び出しを報知するとともに前記来訪者と通話するための増設親機通話部（３３）、前記玄関カメラで撮像した映像を表示する増設親機モニタ（３５）、前記居室親機に接続されたとき前記居室親機に対して初期化コマンドおよび増設親機ＩＤを送信する増設親機ＣＰＵ（３０）を有する増設親機（３）が接続され、前記初期化コマンド、前記増設親機ＩＤを受信したとき前記増設親機を制御するための増設親機用ＣＰＵ（２０ａ）を起動させると共に前記増設親機ＩＤを登録し、前記親機モニタに対して画像メモリ（２７）に予め記憶していた増設親機を内線呼出するための増設親機呼出ボタン（２５ｄ）を表示させるための親機ＣＰＵ（２０）を備えたことを特徴とするインターホンシステム。
【請求項２】
玄関に設置され来訪者が居住者を呼び出すための呼出部（１１）、前記居住者と通話を行なうための玄関通話部（１２）、前記来訪者を撮像するための玄関カメラ（１３）を有する玄関機（１）と、前記玄関機からの呼び出しを報知するとともに前記来訪者と通話するための親機通話部（２３）、前記玄関カメラで撮像した映像を表示する親機モニタ（２５）を有する居室親機（２ａ、２ｂ、・・・）とを備え、
前記居室親機は、前記玄関機からの呼び出しを報知するとともに前記来訪者と通話するための増設親機通話部（３３）、前記玄関カメラで撮像した映像を表示する増設親機モニタ（３５）を有する増設親機（３）が接続されたとき初期化コマンドを前記増設親機に対して送信し、前記初期化コマンドを受信した前記増設親機の増設親機ＣＰＵ（３０）から前記居室親機に対して増設親機ＩＤが返信されたとき前記増設親機を制御するための増設親機用ＣＰＵ（２０ａ）を起動させると共に増設親機ＩＤを登録し、前記親機モニタに対して画像メモリ（２７）に予め記憶していた増設親機を内線呼出するための増設親機呼出ボタン（２５ｄ）を表示させるための親機ＣＰＵ（２０）を備えたことを特徴とするインターホンシステム。
【発明の詳細な説明】
【技術分野】
【０００１】
本発明は、インターホンシステムに係わり、特に居室親機に増設親機が接続されたとき、居室親機のモニタに対して増設親機を呼び出すための増設親機呼出ボタンを自動的に表示させることができるインターホンシステムに関する。
【背景技術】
【０００２】
従来から、この種のインターホンシステムとして、玄関機を接続した居室親機に、複数の増設親機を接続して成るインターホンシステムが知られている。
【０００３】
このインターホンシステムにおいて、居室親機は、予め局所呼出機能の設定された増設親機より呼出を受けたときには、その呼出に応答するまでの所定時間の間は、居室親機のみから内線呼出音を優先的に鳴動させ、その所定時間内に応答がなければ、居室親機に接続された他の増設親機への呼出動作を行うように構成されている（例えば、特許文献１参照）。
【０００４】
このような構成のインターホンシステムによれば、局所優先呼出の対象が増設親機になっており、呼び出しの対象となる人を優先的に呼び出すので、他の人に迷惑をかけることなく特定の人を呼び出し、通話することができる。
【０００５】
ところで、このようなインターホンシステムにおいては、居室親機に増設親機が接続されていなくても、将来における増設親機の接続に備えて、居室親機には予め増設親機を呼び出すための増設親機呼出ボタンが設けられている。
【０００６】
しかしながら、かかる増設親機呼出ボタンは、増設親機を接続しない状態で居室親機を使用する居住者にとっては、不要のものであり、却って居室親機の操作が煩わしくなるという難点があった。
【０００７】
【特許文献１】特開平１１−３０８３４９号公報（段落番号「０００９」、「００３２」、図２）
【発明の開示】
【発明が解決しようとする課題】
【０００８】
本発明は、このような難点を解決するためになされたもので、居室親機に増設親機が接続されたとき、居室親機のモニタに対して増設親機を呼び出すための増設親機呼出ボタンを自動的に表示させることができるインターホンシステムを提供することを目的としている。
【課題を解決するための手段】
【０００９】
本発明の第１の態様であるインターホンシステムは、玄関に設置され来訪者が居住者を呼び出すための呼出部、居住者と通話を行なうための玄関通話部、来訪者を撮像するための玄関カメラを有する玄関機と、玄関機からの呼び出しを報知するとともに来訪者と通話するための親機通話部、玄関カメラで撮像した映像を表示する親機モニタを有する居室親機とを備え、居室親機は、玄関機からの呼び出しを報知するとともに来訪者と通話するための増設親機通話部、玄関カメラで撮像した映像を表示する増設親機モニタ、居室親機に接続されたとき居室親機に対して初期化コマンドおよび増設親機ＩＤを送信する増設親機ＣＰＵを有する増設親機が接続され、初期化コマンド、増設親機ＩＤを受信したとき増設親機を制御するための増設親機用ＣＰＵを起動させると共に増設親機ＩＤを登録し、親機モニタに対して画像メモリに予め記憶していた増設親機を内線呼出するための増設親機呼出ボタンを表示させるための親機ＣＰＵを備えたものである。
【００１０】
また、本発明の第２の態様であるインターホンシステムは、玄関に設置され来訪者が居住者を呼び出すための呼出部、居住者と通話を行なうための玄関通話部、来訪者を撮像するための玄関カメラを有する玄関機と、玄関機からの呼び出しを報知するとともに来訪者と通話するための親機通話部、玄関カメラで撮像した映像を表示する親機モニタを有する居室親機とを備え、居室親機は、玄関機からの呼び出しを報知するとともに来訪者と通話するための増設親機通話部、玄関カメラで撮像した映像を表示する増設親機モニタを有する増設親機が接続されたとき初期化コマンドを増設親機に対して送信し、初期化コマンドを受信した増設親機の増設親機ＣＰＵから居室親機に対して増設親機ＩＤが返信されたとき増設親機を制御するための増設親機用ＣＰＵを起動させると共に増設親機ＩＤを登録し、親機モニタに対して画像メモリに予め記憶していた増設親機を内線呼出するための増設親機呼出ボタンを表示させるための親機ＣＰＵを備えたものである。
【発明の効果】
【００１１】
本発明の第１の態様または第２の態様であるインターホンシステムによれば、居室親機に増設親機が接続されたとき、増設親機からの初期化コマンドにより増設親機用ＣＰＵが起動されることから、親機モニタに対して増設親機を内線呼出するための増設親機呼出ボタンを自動的に表示させることができる。
【発明を実施するための最良の形態】
【００１２】
以下、本発明のインターホンシステムを適用した好ましい実施の形態例について、図面を参照して説明する。ここで、図１は、本発明の一実施例におけるインターホンシステムのシステム構成図、図２は、本発明のインターホンシステムにおける居室親機および増設親機のブロック図、図３は、本発明のインターホンシステムの居室親機における親機モニタの表示画面の一例を示している。
【００１３】
図１において、本発明のインターホンシステムは、集合住宅等の玄関に設置される玄関機１と、集合住宅等の各住戸内に設置される居室親機２ａ、２ｂ、・・・と、特定の居室親機、例えば居室親機２ａ（以下「第１の居室親機２ａ」という。）に接続される増設親機３と、管理人室に設置される管理室親機４と、玄関機１、居室親機２ａ、２ｂ、・・・および管理室親機４を制御するための制御機５とを備えている。ここで、制御機５は、第１の伝送路Ｌ１を介して玄関機１に、第２の伝送路Ｌ２を介して複数の居室親機２ａ、２ｂ、・・・に、第３の伝送路Ｌ３を介して管理室親機４にそれぞれ接続されている。なお、第１の居室親機２ａには、後述するように、第４の伝送路Ｌ４を介して増設親機３が接続される。
【００１４】
玄関機１は、来訪者が居住者を呼び出すためのタッチパネルやテンキー等から成る呼出部１１と、居住者と通話を行なうための玄関マイク１２ａおよび玄関スピーカ１２ｂを有する玄関通話部１２と、来訪者を撮像するためのＣＣＤカメラ等を有する玄関カメラ１３とを備えている。
【００１５】
各居室親機２ａ、２ｂ、・・・は、それぞれ同様の構成とされ、図２に示すように、居室親機２ａ、２ｂ、・・・の各部（回路）を制御するための親機ＣＰＵ２０と、制御機用インターフェイス（以下「ＩＦ」という。）回路２１と、増設親機用ＩＦ回路２２と、玄関機１からの呼び出しを報知するとともに来訪者と通話するための親機通話部２３と、親機モニタ駆動回路２４と、玄関カメラ１３で撮像した映像および呼出ボタンを表示するための親機モニタ２５と、親機タッチパネル２６と、予め増設親機３を内線呼出するための増設親機呼出ボタン２５ｄが記録された画像メモリ２７とを備えており、親機ＣＰＵ２０には、増設親機３が接続されたとき当該増設親機３を制御するための増設親機用ＣＰＵ２０ａが内蔵されている。また、親機通話部２３は、親機通話回路２３ａ、親機マイク２３ｂおよび親機スピーカ２３ｃを備えている。ここで、親機ＣＰＵ２０は、制御機用ＩＦ回路２１、増設親機用ＩＦ回路２２、親機通話回路２３ａ、親機モニタ駆動回路２４、親機モニタ２５、親機タッチパネル２６および画像メモリ２７に接続され、制御機用ＩＦ回路２１には増設親機用ＩＦ回路２２、親機通話回路２３ａ、親機モニタ駆動回路２４および第２の伝送路Ｌ２が、増設親機用ＩＦ回路２２には増設親機用ＣＰＵ２０ａおよび第４の伝送路Ｌ４が、親機通話回路２３ａには親機マイク２３ｂおよび親機スピーカ２３ｃが、親機モニタ駆動回路２４には親機モニタ２５がそれぞれ接続されている。
【００１６】
増設親機３は、図２に示すように、増設親機３の各部（回路）を制御するための増設親機ＣＰＵ３０と、親機用ＩＦ回路３１と、来訪者と通話するための増設親機通話部３３と、増設親機モニタ駆動回路３４と、玄関カメラ１３で撮像した映像および呼出ボタンを表示する増設親機モニタ３５と、増設親機タッチパネル３６とを備えており、増設親機通話部３３は、増設親機通話回路３３ａ、増設親機マイク３３ｂおよび増設親機スピーカ３３ｃを備えている。ここで、増設親機ＣＰＵ３０は、親機用ＩＦ回路３１、増設親機通話回路３３ａ、増設親機モニタ駆動回路３４、増設親機モニタ３５および増設親機タッチパネル３６に接続され、親機用ＩＦ回路３１には増設通話回路３３ａ、増設親機モニタ駆動回路３４および第４の伝送路Ｌ４が、増設親機通話回路３３ａには増設親機マイク３３ｂおよび増設親機スピーカ３３ｃが、増設親機モニタ駆動回路３４には増設親機モニタ３５がそれぞれ接続されている。
【００１７】
次に、このように構成された本発明のインターホンシステムの動作について説明する。なお、玄関機１の玄関通話部１２と各居室親機２ａ、２ｂ、・・・の親機通話部２３との間に、第１の伝送路Ｌ１、制御機５および第２の伝送路Ｌ２を介して通話路が形成される点は、従来のインターホンシステムの動作と同様であることから詳細な説明を省略し、ここでは、第１の居室親機２ａに増設親機３を接続した場合の動作を中心にして説明する。
【００１８】
先ず、第１の居室親機２ａに増設親機３が接続されない場合においては、親機タッチパネル２６の操作により、増設親機用ＣＰＵ２０ａが起動しないように（無効となるように）設定されている。かかる設定操作により、親機モニタ２５には、図３（ａ）に示すように、例えば玄関ボタン２５ａ、管理室ボタン２５ｂおよびエレベータボタン２５ｃが表示される。
【００１９】
このような状態において、第１の居室親機２aに第４の伝送路Ｌ４（図１参照）を介して増設親機３が接続されると、増設親機ＣＰＵ３０から初期化コマンドおよび増設親機ＩＤが出力され、これらの初期化コマンドおよび増設親機ＩＤが親機用ＩＦ回路３１、第４の伝送路Ｌ４および増設親機用ＩＦ回路２２を介して親機ＣＰＵ２０へ送出される。
【００２０】
そして、かかる初期化コマンドおよび増設親機ＩＤが親機ＣＰＵ２０で検出されると、親機ＣＰＵ２０の制御により、今まで無効とされていた増設親機用ＣＰＵ２０ａが起動される（有効にされる）と共に上記の増設親機ＩＤが画像メモリ２７に登録される。また、これと共に、画像メモリ２７から増設親機呼出ボタンの表示データが読み出され、当該表示データが第１の親機モニタ２５へ送出される。これにより、第１の親機モニタ２５に、図３（ｂ）に示すように、増設親機呼出ボタン２５ｄが表示される。
【００２１】
ここで、第１の居室親機２ａに係る居住者が増設親機呼出ボタン２５ｄをタッチ操作すると、第１の居室親機２ａの親機ＣＰＵ２０から増設親機ＩＤを含有する増設親機呼出信号が出力され、当該増設親機呼出信号が増設親機用ＩＦ回路２２、第４の伝送路Ｌ４および親機用ＩＦ回路３１を介して増設親機ＣＰＵ３０へ送出される。
【００２２】
そして、かかる増設親機呼出信号が増設親機ＣＰＵ３０で検出されると、増設親機通話回路３３ａが制御され、増設親機スピーカ３３ｃから呼出音が放音される。ここで、増設親機３において、所定の操作を行なうことにより、第１の居室親機２ａと、増設親機３間に通話路が形成される。
【００２３】
なお、上記実施例においては、増設親機が接続されたとき、増設親機から居室親機に対して初期化コマンドを送信する場合について述べているが、増設親機が接続されたとき、居室親機から増設親機に対して初期化コマンドを送信し、そして、当該初期化コマンドを受信した増設親機ＣＰＵから居室親機に対して増設親機ＩＤが返信されたとき、増設親機用ＣＰＵを起動させると共に増設親機ＩＤを登録するように構成しても、同様の効果を得ることができる。
【産業上の利用可能性】
【００２４】
本発明のインターホンシステムにおける好ましい実施の形態例においては、集合住宅のインターホンシステムに適用しているが、戸建住宅のインターホンシステムに適用しても同様の効果を得ることができる。
【図面の簡単な説明】
【００２５】
【図１】本発明の一実施例におけるインターホンシステムのシステム構成図。
【図２】本発明のインターホンシステムにおける居室親機および増設親機のブロック図。
【図３】本発明のインターホンシステムにおける親機モニタの表示画面の一例図で、（ａ）は増設親機を接続しない場合における親機モニタの画面の一例図、（ｂ）は増設親機を接続した場合における親機モニタの画面の一例図。
【符号の説明】
【００２６】
１１・・・呼出部
１２・・・玄関通話部
１３・・・玄関カメラ
２ａ、２ｂ、・・・居室親機
２０・・・親機ＣＰＵ
２０ａ・・・増設親機用ＣＰＵ
２３・・・親機通話部
２５・・・親機モニタ
２５ｄ・・・増設親機呼出ボタン
２７・・・画像メモリ
３・・・増設親機
３０・・・増設親機ＣＰＵ
３３・・・増設親機通話部
３５・・・増設親機モニタ
【図１】
2005102090.tif 000003
【図２】
2005102090.tif 000004
【図３】
2005102090.tif 000005